(57)【要約】【課題】カバーの取付作業を容易に行うことができる雨樋を提供する。【解決手段】軒樋本体４と、この軒樋本体４の上部開口２０に取り付ける軒樋カバー８１とを備えた軒樋において、軒樋本体４の上部を塞ぐカバー本体８２と、このカバー本体８２に穿設された複数の通水孔８３と、上部開口２０の前側に設けた挿入受け部８４と、カバー本体８２の前側に設けられ挿入受け部８４に挿入する前縁８２Ｆと、上部開口２０の後側に設けられた突出片１７と、カバー本体８２の後側に設けられ突出片１７に上方から係止する係止爪８７とを備える。カバー本体８２の先端縁８２Ｆを挿入受け部８４に挿入し、カバー本体８２の他側縁の係止爪８７を上方から突出片１７に係止することにより、軒樋本体４に軒樋カバー８１を取り付けることができる。【選択図】図９
2012067496.tif 000002
【特許請求の範囲】
【請求項１】
軒樋本体と、この軒樋本体の上部開口に取り付ける軒樋カバーとを備えた軒樋において、前記軒樋本体の上部を塞ぐカバー本体と、このカバー本体に穿設された複数の通水孔と、前記上部開口の一側に設けられ他側が開口した挿入受け部と、前記カバー本体の一側に設けられ前記挿入受け部に挿入する一側挿入部と、前記上部開口の他側に設けられ係止受け部と、前記カバー本体の他側に設けられ前記係止受け部に上方から係止する係止部とを備えたことを特徴とする軒樋。
【請求項２】
前記係止受け部は、一側に突出する突出片であり、前記係止部は前記突出片に段発的に係止する係止爪であることを特徴とする請求項１記載の軒樋。
【請求項３】
前記係止爪の先端に、下方に向かって斜め一側に傾斜した先端面を設け、この先端面の傾斜に対応して前記突出片の一側縁を斜めに形成したことを特徴とする請求項２記載の軒樋。
【請求項４】
前記軒樋本体を建物の壁面に固定支持される軒樋用吊金具に対応して、前記軒樋カバーに切欠き部を設けたことを特徴とする請求項１〜３のいずれか１項に記載の軒樋。
【請求項５】
前記軒樋用吊金具は、軒樋本体の前後の係止受部に係止する吊金具本体と、この吊金具本体を建物の壁面に固定支持する支持部材とを備えることを特徴とする請求項４記載の軒樋。
【発明の詳細な説明】
【技術分野】
【０００１】
本発明は、軒樋本体と、この軒樋本体の上部開口に取り付ける軒樋カバーとを備えた軒樋に関する。
【背景技術】
【０００２】
従来、この種のものとして、樋部に入水孔が穿設された桶蓋体部を設けた雨樋（例えば特許文献１）があり、また、チャンネル状の本体と、該本体の一方の外端面側に上下に回動可能に保持された連結部材と、該連結部材に立設されたピンの先端部に被着されるキャップを含んで構成される雨樋カバー用ネットの張設部材が提案され、前記張設部材によって張設されたメッシュ状のネットによって雨樋の上面開口部がカバーされるため、木の葉等の雨樋への侵入が確実に防がれて雨樋の機能が安定して確保されるとともに、雨樋の清掃が不要となって雨樋のメンンテナンスフリーを実現することができる（例えば特許文献２）。
【先行技術文献】
【特許文献】
【０００３】
【特許文献１】特開２０１０−１０１１１０号公報
【特許文献２】特開平１０−１５９２７６号公報
【発明の概要】
【発明が解決しようとする課題】
【０００４】
上記特許文献２では、雨樋の内側壁と外側壁の各々に複数の張設部材を長さ方向に適当な間隔で取り付けると、連結部材からキャップを外した状態でメッシュ状のネットの幅方向両端部を各連結部材のピンに上方から差し込み、その後、各ピンにキャップを嵌め込んでこれを被着するため、ネットの取付作業に手間が掛かるという問題がある。
【０００５】
そこで、本発明は上記した問題点に鑑み、カバーの取付作業を容易に行うことができる軒樋を提供することを目的とする。
【課題を解決するための手段】
【０００６】
請求項１に係る発明は、軒樋本体と、この軒樋本体の上部開口に取り付ける軒樋カバーとを備えた軒樋において、前記軒樋本体の上部を塞ぐカバー本体と、このカバー本体に穿設された複数の通水孔と、前記上部開口の一側に設けられ他側が開口した挿入受け部と、前記カバー本体の一側に設けられ前記挿入受け部に挿入する一側挿入部と、前記上部開口の他側に設けられ係止受け部と、前記カバー本体の他側に設けられ前記係止受け部に上方から係止する係止部とを備えたことを特徴とする。
【０００７】
また、請求項２に係る発明は、前記係止受け部は、一側に突出する突出片であり、前記係止部は前記突出片に段発的に係止する係止爪であることを特徴とする。
【０００８】
また、請求項３に係る発明は、前記係止爪の先端に、下方に向かって斜め一側に傾斜した先端面を設け、この先端面の傾斜に対応して前記突出片の一側縁を斜めに形成したことを特徴とする。
【０００９】
また、請求項４に係る発明は、前記軒樋本体を建物の壁面に固定支持される軒樋用吊金具に対応して、前記軒樋カバーに切欠き部を設けたことを特徴とする。
【００１０】
また、請求項５に係る発明は、前記軒樋用吊金具は、軒樋本体の前後の係止受部に係止する吊金具本体と、この吊金具本体を建物の壁面に固定支持する支持部材とを備えることを特徴とする。
【発明の効果】
【００１１】
請求項１の構成によれば、カバー本体の一側挿入部を挿入受け部に挿入し、カバー本体の他側縁の係止部を上方から係止受け部に係止することにより、軒樋本体に軒樋カバーを取り付けることができる。
【００１２】
また、請求項２の構成によれば、カバー本体の他側を上から押すようにして、突出片に係止爪を段発的に係止することができる。
【００１３】
また、請求項３の構成によれば、斜めに形成した一側縁により先端面が案内され、突出片に係止爪をスムーズに係止することができる。
【００１４】
また、請求項４の構成によれば、軒樋用吊金具の位置に切欠き部を合わせることにより、吊金具が邪魔になることなく、軒樋本体に軒樋カバーを取り付けることができる。
【００１５】
また、請求項５の構成によれば、吊金具本体を軒桶本体に取り付けた状態で、その軒樋本体に軒樋カバーを取り付けることができる。
【図面の簡単な説明】
【００１６】
【図１】本発明の実施例１を示す吊金具の斜視図である。
【図２】同上、吊金具の分解斜視図である。
【図３】同上、軒樋本体の側面図である。
【図４】同上、吊金具の側面図である。
【図５】同上、一部を分解した吊金具の側面図である。
【図６】同上、凹凸部の拡大断面図である。
【図７】同上、吊金具本体のスライド状態を説明する側面図である。
【図８】同上、吊金具による軒樋本体の取付状態を示す側面図である。
【図９】同上、軒樋カバーを軒樋本体に取り付けた状態の斜視図である。
【図１０】同上、軒樋カバーの取り付け作業を説明する斜視図である。
【図１１】同上、係止爪と係止受け部の係止状態を示す拡大側面図である。
【図１２】同上、軒樋本体と軒樋カバーの斜視図である。
【図１３】同上、軒樋カバーの取り付け作業を説明する側面図である。
【図１４】同上、使用状態の斜視図である。
【図１５】同上、積雪時の使用状態の斜視図である。
【図１６】本発明の実施例２を示す軒樋カバーの取り付け状態を示す側面図である。
【図１７】本発明の実施例３を示す軒樋カバーの取り付け状態を示す側面図である。
【図１８】本発明の実施例４を示す軒樋カバーの取り付け状態を示す側面図である。
【発明を実施するための形態】
【００１７】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる軒樋を採用することにより、従来にない軒樋が得られ、その軒樋を夫々記述する。
【実施例１】
【００１８】
以下、本発明の軒樋用吊金具を添付図面を参照して説明する。図１〜図１５は、本発明の実施例１を示し、同図に示すように、軒樋用吊金具１は、建物２の屋根３の軒先に軒樋本体４を取り付けるものであり、この軒樋本体４に軒樋カバー８１が取り付けられる。
【００１９】
図３に示すように、前記軒樋本体４は、底板部１１と前後の側板部１２，１３を備え、前側の側板部１２の上部には、上下で内側に突出した突出片１４，１５の間に前側係止受部１６が設けられ、後側の側板部１３の上部には、上下で内側に突出した突出片１７，１８の間に後側係止受部１９が設けられている。尚、前側の突出片１４，１５の間隔は後側の突出片１７，１８の間隔より広く形成されている。また、軒樋本体４はアルミニウム合金の押し出し成形により、図に示す断面形状が長さ方向に連続する。
【００２０】
前記軒樋用吊部１は、前記軒樋本体４に係止する吊金具本体２１と、この吊金具本体２１を建物２の壁面５に固定支持する支持部材２２とを備える。前記吊金具本体２１は、長さ方向に一定幅で、上部が開口した略コ字型をなし、その前側に前記前側係止受部１６内に係止する前側係止部２３を備えると共に、その後側に前記後側係止受部１９内に係止する後側係止部２４を備える。前記前側係止部２３の先端２３Ｓは斜め後上向きをなし、その先端２３Ｓが係止する抜け止め部１４Ｎが、前記突出片１４の内端から下方に垂設されている。また、後側係止部２４の先端２４Ｓは斜め後上向きをなし、先端側に後斜め上向きの傾斜面２４Ｍを有し、その先端２４Ｓが前記側板部１３と突出片１７との内側角部に係止する。また、前記突出片１７の先端縁１７Ｆは前記傾斜面２４Ｍに対応して斜めに形成されている。尚、後上の突出片１７の前後幅は、前記先端２３Ｓの厚さの３倍以下で、他の突出片１４，１５，１８に比べて幅狭に形成されている。
【００２１】
したがって、吊金具本体２１の前側を低くして、前側係止部２３を前側係止受部１６内に挿入し、吊金具本体２１の後側を押し下げると、先端縁２３Ｓに傾斜面２４Ｍが当たり、軒樋本体４の弾性により側板部１２，１３間が開き、突出片１７を先端２４Ｓが通過して、後側係止部２４が後側係止受部１９内に係止し、吊金具本体２１の前後が軒樋本体４に係止する。
【００２２】
また、前記吊金具本体２１の中央には平板部２６が設けられ、この平板部２６の上面には、凹凸部２７が連続形成され、この凹凸部２７は上面が平坦な山形形状の凹部２７Ａと逆山形形状の凸部２７Ｂが交互に形成されている。尚、凹凸部２７はラック形状をなす。
【００２３】
前記支持部材２２は、建物２の壁面５に固定支持する取付部３１と、この取付部３１に角度調整可能に連結される支持体３２とを備える。前記取付部３１は、建物２の壁面５に複数のアンカー６により固定する取付板３３と、この取付板３３に一体に設けた外嵌部たる切欠きリング部３４とを一体に備え、この切欠きリング部３４は前側が開口し、半円より大きく、内周全体に断面略三角形の内面凹凸部３５が形成されている。尚、取付板３３は、切欠きリング部３４より左右方向（軒樋長さ方向）幅広に形成され、また、支持部材２２は、取付板３３を除いて、左右方向ほぼ一定幅に形成され、同一断面が左右方向に連続し、アルミニウム合金の押し出し成形されている。前記支持体３２の後側には、前記切欠きリング部３４に内嵌するリング部３６が一体に設けられ、このリング部３６の外周全体に、前記内面凹凸部３５に係合する外面凹凸部３７が形成されている。また、前記リング部３６の内面にはほぼ１８０度の位置に断面略コ字状をなすビスホール３６Ａ，３６Ａがそれぞれ設けられている。また、前記ビスホール３６Ａ，３６Ａに対応して、前記切欠きリング３４の外周には、開口側に肉厚部３４Ａがそれぞれ形成されている。
【００２４】
また、切欠きリング部３４とリング部３６の左右方向の長さ（軸方向の長さ）はほぼ等しく、それら切欠きリング部３４とリング部３６の両側には円板状の蓋板３８，３８が取り付けられ、この蓋板３８は、該蓋板３８の透孔に挿通したビス３９を、前記ビスホール３６Ａに螺合することにより固定される。
【００２５】
そして、取付部３１と支持体３２との角度に合わせて、相互凹凸部３５，３７を合わせ、左右方向から切欠きリング部３４内にリング部３６をスライド挿入し、ビス３９Ａを肉厚部３４Ａの透孔に挿通すると共にリング部３６に螺着する。このようにしてビス３９Ａと凹凸部３５，３７同士の嵌合により、リング部３６と切欠きリング部３４とが固定される。
【００２６】
さらに、切欠きリング部３４とリング部３６の左右一側を前記蓋体３８により塞ぎ、リング部３６内に樹脂製接着材などの硬化性充填物４１を充填し、この充填材４１が所定の経時的に硬度に硬化することにより、補強材となる。また、切欠きリング部３４とリング部３６の左右他側には蓋体３８をビス３９により固定する。このビス３９は蓋体３８の透孔に挿通されると共に、前記ビスホール３６Ａに螺着される。このように内部の充填材４１によりリング部３６が補強され、中空の場合に比べて、強度の向上を図ることができ、垂直荷重や風荷重に対して優れた強度が得られる。
【００２７】
そして、前記切欠きリング部３４とリング部３６により、取付部３１と支持体３２との角度を調整する角度調整機構４２を構成している。
【００２８】
図５に示すように、前記支持体３２の前側下部には、前記吊金具本体２１の凹凸面２７に摺動する板状の摺動部５１が設けられ、この摺動部５１と前記リング部との間には、斜め前側斜め下向きの傾斜上面部５２と、その傾斜上面部５２と前記摺動部５１とを連結する前面部５３とを有し、前記傾斜上面部５２は水平に対して４５度以下の角度をなし、前記傾斜前面部５３は水平に対して６０度以上、９０度以下であり、傾斜上面部５２と傾斜前面部５３との内角は９０度以上である。また、前記支持体３２は複数の空洞部５４を有する中空構造をなす。さらに、前記摺動部５１の下面には、前後方向に間隔を置いて複数の凸部５５が設けられ、前記凹凸部２７との摺動性を確保している。
【００２９】
また、前記摺動体５１の前後上面には、ビスホール５６が設けられ、これらビスホール５６に対応する透孔５６Ａを、上部が開口したコ字形のブラケット５７の両側板５７Ａ，５７Ａに設け、これら両側板５７Ａ，５７Ａの下部間に底板５７Ｂが設けられている。そして、前記摺動部５１を前記吊金具本体２１に重ねた状態で、前記ブラケット５７を下から外嵌し、透孔５６Ａにビス５８を挿通すると共に、ビス５８をビスホール５６に螺着し、これにより摺動部５１に対して吊金具本体２１を前後方向スライド可能に保持している。
【００３０】
尚、前記切欠きリング部３４及び支持体３２は、軒樋本体４はアルミニウム合金の押し出し成形により形成される。
【００３１】
固定係止部材６１は、前記凹凸部２７に係止して前記支持体３２に前記吊金具本体２１を固定する。前記固定係止部材６１は、鋼製の板材からなり、前記支持体３２に固定する固定部６２と、この固定部６２の前側から下方に垂設した垂設部６３とを一体に備え、この垂設部６３は前記傾斜前面部５３に沿って固定され、その垂設部６３の下端には前記凹凸部２７の凹部２７Ａに係止する係止部６３Ａが設けられている。そして、前記固定部６２には透孔６２Ａが穿設され、前記傾斜上面部５２に雌螺子孔５２Ａを設け、ワッシャ６４を備えた蝶ねじ６５を、前記透孔６２Ａに挿通すると共に雌螺子孔５２Ａに螺合することにより、支持体３２に固定係止部材６１を固定し、係止部６３Ａが凹凸部２７に係止する。尚、前記垂設部６３は、前記平板部２６に対してほぼ垂直に用いられる。また、固定部６２と垂設部６３の角度は、９０度以上、１２０度以下である。
【００３２】
また、前記固定係止部材６１を補強する補強部材７１を備え、この補強部材７１は、固定係止部材６１とほぼ同形であって、前記固定係止部材６１に重ねて用いられ、前記支持体３２に固定される固定部７２と、前記垂設部６３の前面に配置される補強垂設部７３とを一体に備え、固定係止部材６１と同様に、鋼製の板材を屈曲形成してなり、前記固定部７２には前記蝶ねじ６５を挿通する透孔７２Ａが穿設され、前記補強部材７１は前記固定係止部材６１に重ね合わせて前記支持体３２に固定される。この固定状態で前記補強垂設部７３の下端７３Ａは、前記凹凸部２７の凸部２７Ｂに当接する。
【００３３】
したがって、蝶ねじ６５を緩めると、図７に示すように、支持部材２２に対して吊金具本体２１を前後にスライドすることができ、壁面５の軒樋本体４の取付位置との間隔に吊金具本体２１を合わせ、蝶ねじ６５を締めると、固定係止部材６１の係止部６３Ａが凹部２７Ａに係止し、さらに、補強部材７１が固定係止部材６１の垂設部６３を補強する。
【００３４】
補強部材７１は必要に応じて用いられるが、補強部材７１を用いることにより、吊金具本体２１を前側に動かそうとする力に対して、補強部材７１により垂設部６３が前面部５３から離れることを防止できるから、強固な固定構造が得られる。
【００３５】
図９〜図１５に示すように、本発明では、上記のような軒樋本体４の上部開口２０に取り付ける前記軒樋カバー８１を備える。この軒樋カバー８１は、ステンレス鋼などからなり、平板状のカバー本体８２を備え、このカバー本体８２に複数の通水孔８３を穿設している。
【００３６】
前記雨樋本体４の上開口２０の一側である前側には、挿入受け部８４が設けられ、前記前の側板部１２の上縁に内側に突出片８５を設け、この突出片８５と前記突出片１４との間により前記挿入受け部８４が構成され、この挿入受け部８４に後側から前記カバー本体８２の一側挿入部たる前縁８２Ｆが挿入される。尚、前記突出片８５は突出片１４より幅狭に形成されており、前記カバー本体８２を斜めにして前記挿入受け部８４内に挿入し易くなっている。
【００３７】
また、前記雨樋本体４の上開口２０の他側である後側には、係止受け部が設けられ、この係止受け部は前記突出片１７により構成され、この突出片１７に上方から段発的に係止する係止部たる係止爪８７を、前記カバー本体８２の他側に設けている。前記係止爪８７は下方に向かって斜め一側に傾斜した先端面８７Ａと、この先端面８７Ａの上端に設けた横方向の係止部８７Ｂを備え、この係止部８７Ｂは前記突出片１４の下面に係止する。また、前記係止爪８７は略コ字型の取付部８８により前記カバー本体８２に取り付けられ、前記取付部８８と前記係止部８７Ｂとは前記突出片１７の板厚に対応した連結部８９により連結されている。そして、前記取付部８８の上片８８Ａがビスなどの取付部材９０により前記カバー本体８２に取り付けられ、前記取付部８８の下片８８Ｂが取付状態で前記突出片１７の上面に当接する。また、上片８８Ａと下片８８Ｂは垂設部８８Ｃにより連結されている。尚、前記上片８８Ａの上面には、前記カバー本体８２の厚さに対応した凹部９３を形成し、この凹部９３に前記カバー本体８２の他端縁が挿入される。
【００３８】
図１２に示すように、前記雨樋カバー８１には、前記軒樋用吊金具１に対応して、切欠き部９１が設けられ、この切欠き部９１は雨樋カバー８１の後側に開口し、前記軒樋用吊金具１の左右幅より多少広く形成され、前後方向に長いほぼ平面長方形形状をなす。このように切欠き部９１を雨樋カバー８１の長さ方向の途中に設けることにより、雨樋カバー８１の端部は凹凸のない直線状をなす。
【００３９】
次に、前記軒樋カバーの使用方法について説明する。図１３（Ａ）に示すように、軒樋カバー８１の後側が高くなるように斜めにして、その前縁８２Ｆを挿入受け部８４に挿入し、図１３（Ｂ）に示すように、後側を下方に押し下げると、斜めの先端面８７Ａが斜めの先端縁１７Ｆに案内され、これにより取付部８８が弾性変形し、図１３（Ｃ）に示すように、係止爪８７が突出片１４に係止する。
【００４０】
このように軒樋本体４に軒樋カバー８１を取り付けることにより、図１４に示すように、落ち葉101が軒樋本体４に入り込むことなく、通水孔８３から雨水だけが流れ込み、軒樋カバー８１の落ち葉101は、自然乾燥し、やがて飛散する。また、雪102が降る積雪時においては、図１５に示すように、雪102が溶けた雪解け水だけが軒樋本体に流れ込み、屋根から落ちてきた雪102は、軒樋カバー８１の上をそのまま滑り落ちる。
【００４１】
このように本実施例では、請求項１に対応して、軒樋本体４と、この軒樋本体４の上部開口２０に取り付ける軒樋カバー８１とを備えた軒樋において、軒樋本体４の上部を塞ぐカバー本体８２と、このカバー本体８２に穿設された複数の通水孔８３と、上部開口２０の一側たる前側に設けられ他側たる後側が開口した挿入受け部８４と、カバー本体８２の一側たる前側に設けられ挿入受け部８４に挿入する一側挿入部たる前縁８２Ｆと、上部開口２０の他側たる後側に設けられ係止受け部たる突出片１７と、カバー本体８２の他側たる後側に設けられ突出片１７に上方から係止する係止部たる係止爪８７とを備えるから、カバー本体８２の先端縁８２Ｆを挿入受け部８４に挿入し、カバー本体８２の他側縁の係止爪８７を上方から突出片１７に係止することにより、軒樋本体４に軒樋カバー８１を取り付けることができる。
【００４２】
また、このように本実施例では、請求項２に対応して、係止受け部は、一側に突出する突出片１７であり、係止部は突出片１７に段発的に係止する係止爪８７であるから、軒樋カバー８１の他側を上から押すようにして、突出片１７に係止爪８７を段発的に係止することができる。
【００４３】
また、このように本実施例では、請求項３に対応して、係止爪８７の先端に、下方に向かって斜め一側に傾斜した先端面８７Ａを設け、この先端面８７Ａの傾斜に対応して突出片１７の一側縁たる先端縁１７Ｆを斜めに形成したから、斜めに形成した先端縁１７Ｆにより先端面８７Ａが案内され、突出片１７に係止爪８７をスムーズに係止することができる。
【００４４】
また、このように本実施例では、請求項４に対応して、軒樋本体４を建物２の壁面５に固定支持される軒樋用吊金具に対応して、軒樋カバー８１に切欠き部９１を設けたから、軒樋用吊金具の位置に切欠き部を合わせることにより、吊金具が邪魔になることなく、軒樋本体４に軒樋カバー８１を取り付けることができる。
【００４５】
また、このように本実施例では、請求項５に対応して、軒樋用吊金具１は、軒樋本体４の前後の係止受部１６，１９に係止する吊金具本体２１と、この吊金具本体２１を建物２の壁面５に固定支持する支持部材２２とを備えるから、吊金具本体２１を軒桶本体４に取り付けた状態で、その軒樋本体４に軒樋カバー８１を取り付けることができる。
【００４６】
また、実施例上の効果として、カバー本体８２の前縁８２Ｆを挿入受け部８４に挿入し、係止爪８７を突出片１７の下部内側に係止したから、前縁８２Ｆ及び係止爪８７が露出せずに軒樋カバー８１を取り付けることができる。また、取付部８８の凹部９３にカバー本体８２の他端縁が挿入し、カバー本体８２の前縁８２Ｆを挿入受け部８４に挿入するから、カバー本体８２の端部が露出しない。さらに、カバー本体８２の他側に下方に垂設した垂設部８８Ｃを設け、この垂設部８８Ｃの下部に係止爪８７を設けたから、垂設部８８Ｃを押して係止爪８７の係止を解除し、軒樋本体４から軒樋カバー８１を取り外すことができる。
【００４７】
さらに、実施例上の効果として、軒樋本体４の前後の係止受部１６，１９に係止する吊金具本体２１と、この吊金具本体２１を建物２の壁面５に固定支持する支持部材２２とを備えた軒樋用吊金具において、支持部材２２は、建物２の壁面５に取り付ける取付部３１と、取付部３１から前方に突出して金具本体２１を支持する支持体３２と、この支持体３２に設けられ吊金具本体２１を前後方向にスライド可能に保持するブラケット５７と、吊金具本体２１の前後方向に並設した複数の凹凸部２７と、凹凸部２７に係止して支持体３２に吊金具本体２１を固定する固定係止部材６１と、この固定係止部材６１を支持体３２に固定する固定手段たる蝶ねじ６５とを備えるから、軒樋本体４と壁面５との間隔に合わせて吊金具本体２１をスライドして位置決めした状態で、固定係止部材６１を凹凸部２７に係止し、蝶ねじ６５によりその固定係止部材６１を支持体３２に固定することにより、支持体３２に吊金具本体２１を固定することができる。したがって、複雑な機構が不要で、蝶ねじ６５により固定係止部材６１を固定するだけで、簡単に吊金具本体２１を固定することができる。また、固定係止部材６１は、支持体３２の上面に固定手段たる蝶ねじ６５により固定される固定部６２と、この固定部６２の前側から下方に垂設し、下端６３Ａが凹凸部２７に係止する垂設部６３とを一体に備えるから、垂設部６３の下端６３Ａを凹凸部２７に係止し、固定部６２を蝶ねじ６５により支持体３２に固定することにより、吊金具本体１を固定することができる。また、固定係止部材６１を補強する補強部材７１を備え、この補強部材７１は、支持体３２に固定される固定部７２と、垂設部６３の前面に配置される補強垂設部７３とを備えるから、凹凸部２７に垂設部６３が係止した状態で、前後両方からの力に対して、吊金具本体２１を確実に固定することができる。また、取付部３１と支持体３２との角度を調整する角度調整機構４２を備え、この角度調整機構４２は支持体３２の後部に設けたリング部３６と、このリング部３６の外周に設けた外面凹凸部３７と、取付部３１に設けられリング部３６に外嵌する外嵌部たる切欠きリング部３４と、この切欠きリング部３４の内面に設けられ外面凹凸部３５に係合する内面凹凸部３５とを備えるから、外面凹凸部３５と内面凹凸部３５との係合位置により取付部３１と支持体３２とを所定の角度に調整することができる。また、リング部３６内に補強材たる硬化性充填材４１を設けたから、リング部の変形を防止できる。また、補強材が硬化性充填材４１であるから、硬化性充填材４１を充填することによりリング部３６の変形を防止できる。また、固定手段が、傾斜上面部５２の雌螺子孔５２Ａに螺着する蝶ねじ６４であるから、蝶ねじ６４を操作して固定係止部材６１を簡便に固定及び固定解除することができる。また、摺動部５１の下面に凹凸部２７の間隔より広い間隔で凸部５５を設けたから、凹凸部２７の凸部２７Ａとの摺動性を確保することができる。
【実施例２】
【００４８】
図１６は、本発明の実施例２を示し、上記実施例１と同一部分に同一符号を付し、その詳細な説明を省略して詳述する。本実施例は、軒樋本体４Ａの変形例を示し、同図に示すように、この例の軒樋本体４は、前の側板部１２の下部を下側に向かって後向きになる斜めに形成してる。
【００４９】
このように本実施例では、カバー本体８２の先端縁８２Ｆを挿入受け部８４に挿入し、カバー本体８２の他側縁の係止爪８７を上方から突出片１７に係止することにより、軒樋本体４に軒樋カバー８１を取り付けることができ、上記実施例１と同様な作用・効果を奏する。
【実施例３】
【００５０】
図１７は、本発明の実施例３を示し、上記各実施例と同一部分に同一符号を付し、その詳細な説明を省略して詳述する。本実施例は、軒樋本体４Ｂの変形例を示し、同図に示すように、前側，後側の側板部１２，１３と底板部１１をほぼ半円状に形成した半円部９２を形成している。
【００５１】
このように本実施例でも、上記各実施例と同様な作用・効果を奏する。
【実施例４】
【００５２】
図１８は、本発明の実施例４を示し、上記各実施例と同一部分に同一符号を付し、その詳細な説明を省略して詳述する。本実施例は、係止爪８７の取付部８８の変形例を示し、同図に示すように、取付部８８は、上片８８Ａと、上片８８Ａと前記係止部８７Ｂとを連結する垂設部８８Ｄとからなり、この垂設部８８Ｄは、下方に向かって前側に傾斜している。
【００５３】
そして、軒樋カバー８１の後側が高くなるように斜めにして、その前縁８２Ｆを挿入受け部８４に挿入し、後側を下方に押し下げると、斜めの先端面８７Ａが斜めの先端縁１７Ｆに案内され、これにより取付部８８が弾性変形し、係止爪８７が突出片１４に係止する。また、この係止状態で、カバー本体８２の後側を下方に押す力が加わっても、突出片１７の先端縁１７Ｆに垂設部Ｄが当接し、前記押す力に対抗する。また、垂設部８８Ｄを前側に押して係止状態を解除し、軒樋カバー８１を軒樋本体４から取り外すこともできる。
前側，後側の側板部１２，１３と底板部１１をほぼ半円状に形成した半円部９２を形成している。
【００５４】
このように本実施例でも、上記各実施例と同様な作用・効果を奏する。
【００５５】
また、実施例上の効果として、カバー本体８２の他側に下方に斜めに垂設した垂設部８８Ｄを設け、この垂設部８８Ｄの下部に係止爪８７を設けたから、垂設部８８Ｃを押して係止爪８７の係止を解除し、軒樋本体４から軒樋カバー８１を取り外すことができる。
【００５６】
尚、本発明は、本実施例に限定されるものではなく、本発明の要旨の範囲内で種々の変形実施が可能である。例えば、軒樋の形状は適宜選定可能である。また、垂設部は必ずしも設ける必要はない。また、軒樋本体及び吊金具は、アルミニウム合金以外でも、プラスチックや金属など各種の材料のものを用いることができる。また、固定部材として蝶ねじを用いたが固定部材には各種のものを用いることができ、固定ねじ部材として、蝶ねじ以外にボルトや皿ねじなどを用いてもよい。さらに、取付部を２本のアンカーにより壁面に固定したが、４本以上のアンカーを用いてもよい。また、固定部材としては、リング部内に十字枠などを入れて、リング部の変形を防止するようにしてもよい。
【符号の説明】
【００５７】
１  雨樋用吊金具
２  建物
３  屋根
４  軒樋本体
５  壁面
１６  前側係止受部
１９  後側係止受部
２１  吊金具本体
２２  支持部材
８１  軒樋カバー
８２  カバー本体
８２Ｆ  前縁（一側挿入部）
８３  通水孔
８４  挿入受け部
８５  突出片
８６  係止受け部
８７  係止爪（係止部）
８７Ａ  先端部
【図１】
2012067496.tif 000003
【図２】
2012067496.tif 000004
【図３】
2012067496.tif 000005
【図４】
2012067496.tif 000006
【図５】
2012067496.tif 000007
【図６】
2012067496.tif 000008
【図７】
2012067496.tif 000009
【図８】
2012067496.tif 000010
【図９】
2012067496.tif 000011
【図１０】
2012067496.tif 000012
【図１１】
2012067496.tif 000013
【図１２】
2012067496.tif 000014
【図１３】
2012067496.tif 000015
【図１４】
2012067496.tif 000016
【図１５】
2012067496.tif 000017
【図１６】
2012067496.tif 000018
【図１７】
2012067496.tif 000019
【図１８】
2012067496.tif 000020